(57)【特許請求の範囲】
【請求項１】
複数本の芯線が集合されてなる第一芯線群と、
前記第一芯線群の外周に巻き付けられた第一バインドテープと、
前記第一バインドテープの外周に設けられた第一編組シールドと、
前記第一編組シールドの外周に巻き付けられた第二バインドテープと、
前記第二バインドテープの外周に複数本の芯線が配置されてなる第二芯線群と、
前記第二芯線群の外周に巻き付けられた第三バインドテープと、
前記第三バインドテープの外周に設けられた第二編組シールドと、
前記第二編組シールドの外周に設けられたジャケットと、
を備え、
前記第二編組シールドは、前記第一芯線群を含む第一経路を外部に引き出せるように拡張させることができる網目を有し、前記第二編組シールドの網目を通じて前記第一芯線群が外部に引き出されることによって前記第一芯線群を含む前記第一経路と前記第二芯線群を含む第二経路とが分岐されることを特徴とする多芯シールドケーブル。
【請求項２】
複数本の芯線が集合されてなる第一芯線群と、
前記第一芯線群の外周に巻き付けられた第一バインドテープと、
前記第一バインドテープの外周に設けられた第一編組シールドと、
前記第一編組シールドの外周に巻き付けられた第二バインドテープと、
前記第二バインドテープの外周に複数本の芯線が配置されてなる第二芯線群と、
前記第二芯線群の外周に巻き付けられた第三バインドテープと、
前記第三バインドテープの外周に設けられた第二編組シールドと、
前記第二編組シールドの外周に設けられたジャケットと、
を備える多芯シールドケーブルを前記第一芯線群を含む第一経路と前記第二芯線群を含む第二経路とに分岐させる多芯シールドケーブルの分岐方法であって、
前記ジャケットを除去して前記第二編組シールドを露出させると共に前記第二編組シールドの網目を拡張させながらその網目を通じて前記第一芯線群を外部に引き出して前記多芯シールドケーブルを前記第一経路と前記第二経路とに分岐させることを特徴とする多芯シールドケーブルの分岐方法。
【発明の詳細な説明】
【技術分野】
【０００１】
本発明は、多芯シールドケーブル及びその分岐方法に関する。
【背景技術】
【０００２】
従来、超音波診断や内視鏡検査等においては、複数本の芯線が集合されてなる芯線群と、芯線群の外周に設けられた編組シールドと、編組シールドの外周に設けられたジャケットと、を備える多芯シールドケーブルが使用されている。
【０００３】
多芯シールドケーブルの分岐配線に際しては、ジャケットを除去して編組シールドを露出させると共に編組シールドの網目を拡張させながらその網目を通じて一部の芯線を外部に引き出して他の芯線から分岐させることにより、他の芯線の全長に亘って編組シールドを残存させて分岐配線に伴う他の芯線におけるシールド特性の低下を防止している（例えば、特許文献１を参照）。
【先行技術文献】
【特許文献】
【０００４】
【特許文献１】特開２００２−１３５９３７号公報
【発明の概要】
【発明が解決しようとする課題】
【０００５】
しかしながら、従来の多芯シールドケーブルにおいては、その分岐配線に際して、編組シールドの網目を通じて外部に引き出される一部の芯線の全長に亘って編組シールドを残存させることはできないため、別途の編組スリーブ等を使用せずに分岐配線に伴う一部の芯線におけるシールド特性の低下を防止することは不可能である。
【０００６】
なお、編組スリーブを使用する場合は、編組シールドの網目を通じて外部に引き出される一部の芯線を編組スリーブで被覆すると共にその編組スリーブを編組シールドに半田接続することにより、分岐配線に伴う一部の芯線におけるシールド特性の低下を防止することが可能となる。
【０００７】
ところが、半田接続は接続信頼性が低いため、多芯シールドケーブルの屈曲等に伴う半田接続部に対する応力付与時に半田接続部でひび割れ等が発生して半田接続部におけるシールド特性が低下する虞がある。
【０００８】
また、半田接続部は他の部分よりも大きくなるため、分岐部のモールド加工時に半田接続部におけるモールド厚が他の部分におけるモールド厚よりも薄くなり、半田接続部を起点としてモールドに亀裂等が発生する虞もある。
【０００９】
そこで、本発明の目的は、別途の編組スリーブ等を使用せずに分岐配線に伴う全部の芯線におけるシールド特性の低下を防止することが可能な多芯シールドケーブル及びその分岐方法を提供することにある。
【課題を解決するための手段】
【００１０】
この目的を達成するために創案された本発明は、複数本の芯線が集合されてなる第一芯線群と、前記第一芯線群の外周に巻き付けられた第一バインドテープと、前記第一バインドテープの外周に設けられた第一編組シールドと、前記第一編組シールドの外周に巻き付けられた第二バインドテープと、前記第二バインドテープの外周に複数本の芯線が配置されてなる第二芯線群と、前記第二芯線群の外周に巻き付けられた第三バインドテープと、前記第三バインドテープの外周に設けられた第二編組シールドと、前記第二編組シールドの外周に設けられたジャケットと、を備え、前記第二編組シールドは、前記第一芯線群を含む第一経路を外部に引き出せるように拡張させることができる網目を有し、前記第二編組シールドの網目を通じて前記第一芯線群が外部に引き出されることによって前記第一芯線群を含む前記第一経路と前記第二芯線群を含む第二経路とが分岐される多芯シールドケーブルである。
【００１１】
また、本発明は、複数本の芯線が集合されてなる第一芯線群と、前記第一芯線群の外周に巻き付けられた第一バインドテープと、前記第一バインドテープの外周に設けられた第一編組シールドと、前記第一編組シールドの外周に巻き付けられた第二バインドテープと、前記第二バインドテープの外周に複数本の芯線が配置されてなる第二芯線群と、前記第二芯線群の外周に巻き付けられた第三バインドテープと、前記第三バインドテープの外周に設けられた第二編組シールドと、前記第二編組シールドの外周に設けられたジャケットと、を備える多芯シールドケーブルを前記第一芯線群を含む第一経路と前記第二芯線群を含む第二経路とに分岐させる多芯シールドケーブルの分岐方法であって、前記ジャケットを除去して前記第二編組シールドを露出させると共に前記第二編組シールドの網目を拡張させながらその網目を通じて前記第一芯線群を外部に引き出して前記多芯シールドケーブルを前記第一経路と前記第二経路とに分岐させる多芯シールドケーブルの分岐方法である。
【発明の効果】
【００１２】
本発明によれば、別途の編組スリーブ等を使用せずに分岐配線に伴う全部の芯線におけるシールド特性の低下を防止することが可能な多芯シールドケーブル及びその分岐方法を提供することができる。
【図面の簡単な説明】
【００１３】
【図１】本発明に係る多芯シールドケーブルを示す断面模式図である。
【図２】本発明に係る多芯シールドケーブルの分岐方法を説明する図である。
【発明を実施するための形態】
【００１４】
以下、本発明の好適な実施の形態を添付図面に順って説明する。
【００１５】
図１に示すように、本発明の好適な実施の形態に係る多芯シールドケーブル１００は、複数本の芯線１０１が集合されてなる第一芯線群１０２と、第一芯線群１０２の外周に巻き付けられた第一バインドテープ１０３と、第一バインドテープ１０３の外周に設けられた第一編組シールド１０４と、第一編組シールド１０４の外周に巻き付けられた第二バインドテープ１０５と、第二バインドテープ１０５の外周に複数本の芯線１０１が配置されてなる第二芯線群１０６と、第二芯線群１０６の外周に巻き付けられた第三バインドテープ１０７と、第三バインドテープ１０７の外周に設けられた第二編組シールド１０８と、第二編組シールド１０８の外周に設けられたジャケット１０９と、を備えている。
【００１６】
芯線１０１としては、例えば、銅や銅合金等の導体で形成された導線と、導線の外周に設けられると共にポリエチレン樹脂や弗素樹脂等の絶縁体で形成された絶縁層と、を有する絶縁電線が挙げられる。
【００１７】
なお、第一芯線群１０２における芯線１０１の数と第二芯線群１０６における芯線１０１の数は、従来のコネクタの芯線数に合わせることにより、芯線数が多い場合でも従来のコネクタを使用することができる。
【００１８】
例えば、従来の超音波診断装置においては、三次元信号（立体画像信号）を伝送するために１２８チャンネルが採用されていたが、近年の超音波診断装置においては、四次元信号（立体動画信号）を伝送するために２５６チャンネルが採用されているため、第一芯線群１０２と第二芯線群１０６のそれぞれを１２８本の芯線１０１で構成することにより、近年の超音波診断装置でも従来の超音波診断装置で使用しているコネクタを使用することが可能となる。
【００１９】
第一芯線群１０２においては、複数本の芯線１０１が相互に撚り合わされていても構わないし、複数本の芯線１０１が相互に縦添えされていても構わない。
【００２０】
第一バインドテープ１０３は、第一芯線群１０２の外周に螺旋状に重ね合わされて巻き付けられると共にポリテトラフルオロエチレン（ＰＴＦＥ）樹脂等の絶縁体で形成されており、第一芯線群１０２を拘束する役割と第一芯線群１０２と第一編組シールド１０４との接触による第一芯線群１０２の損傷を防止する役割とを果たす。
【００２１】
なお、第一バインドテープ１０３は、第一芯線群１０２において複数本の芯線１０１が相互に撚り合わされている場合はその撚方向に対して反対方向に巻き付けられることにより、第一芯線群１０２の捩れを矯正する役割も果たす。
【００２２】
第一編組シールド１０４と第二編組シールド１０８は、銅や銅合金等の導体で形成された複数本の素線が相互に編み込まれてなるが、第一編組シールド１０４として、銅や銅合金等の導体で形成された複数本の素線が螺旋状に突き合わせて巻き付けられてなる横巻シールドや銅や銅合金等の導体で形成された金属箔が螺旋状に重ね合わされて巻き付けられてなる金属箔シールドを採用しても構わない。
【００２３】
第二バインドテープ１０５は、第一編組シールド１０４の外周に螺旋状に重ね合わされて巻き付けられると共にポリテトラフルオロエチレン樹脂等の絶縁体で形成されており、第一編組シールド１０４の解れを防止する役割と第二芯線群１０６と第一編組シールド１０４との接触による第二芯線群１０６の損傷を防止する役割とを果たす。
【００２４】
第二芯線群１０６においては、複数本の芯線１０１が第二バインドテープ１０５の外周に螺旋状に巻き付けられていても構わないし、複数本の芯線１０１が第二バインドテープ１０５の外周に沿って縦添えされていても構わない。
【００２５】
第三バインドテープ１０７は、第二芯線群１０６の外周に螺旋状に重ね合わされて巻き付けられると共にポリテトラフルオロエチレン樹脂等の絶縁体で形成されており、第二芯線群１０６を拘束する役割と第二芯線群１０６と第二編組シールド１０８との接触による第二芯線群１０６の損傷を防止する役割とを果たす。
【００２６】
なお、第三バインドテープ１０７は、第二芯線群１０６において複数本の芯線１０１が第二バインドテープ１０５の外周に螺旋状に巻き付けられている場合はその巻方向に対して反対方向に巻き付けられることにより、第二芯線群１０６の捩れを矯正する役割も果たす。
【００２７】
ジャケット１０９は、例えば、第二編組シールド１０８の外周にポリ塩化ビニル樹脂や弗素樹脂等の絶縁体を押出被覆して形成されており、多芯シールドケーブル１００を外傷等から守る役割を果たす。
【００２８】
多芯シールドケーブル１００の分岐配線に際しては、図２に示すように、ジャケット１０９を除去して第二編組シールド１０８を露出させると共に第二編組シールド１０８の網目１１０を拡張させながらその網目１１０を通じて第一芯線群１０２を外部に引き出して多芯シールドケーブル１００を第一芯線群１０２を含む第一経路１１１と第二芯線群１０６を含む第二経路１１２とに分岐させることにより、全部の芯線１０１の全長に亘って第一編組シールド１０４又は第二編組シールド１０８を残存させて分岐配線に伴う全部の芯線１０１におけるシールド特性の低下を防止することが可能となる。
【００２９】
また、編組スリーブを使用する場合のように、半田接続部におけるシールド特性が低下したり、分岐部のモールド加工時に半田接続部を起点としてモールドに亀裂等が発生したりすることはない。
【００３０】
更に、編組スリーブを使用する場合のように、分岐配線時における余計な処理が不要であるため、分岐配線時における作業性を著しく向上させることが可能となる。
【００３１】
以上の通り、本発明によれば、別途の編組スリーブ等を使用せずに分岐配線に伴う全部の芯線１０１におけるシールド特性の低下を防止することが可能な多芯シールドケーブル１００及びその分岐方法を提供することができる。
【符号の説明】
【００３２】
１００  多芯シールドケーブル
１０１  芯線
１０２  第一芯線群
１０３  第一バインドテープ
１０４  第一編組シールド
１０５  第二バインドテープ
１０６  第二芯線群
１０７  第三バインドテープ
１０８  第二編組シールド
１０９  ジャケット
１１０  網目
１１１  第一経路
１１２  第二経路
【図１】
0006551733.tif 000002
【図２】
0006551733.tif 000003